(57)【要約】【課題】フランジのリールハブに対する適正な姿勢を確保することができるリールを得る。また、該リールを適用して記録テープを良好に保護することができる記録テープカートリッジを得る。【解決手段】リール２８は、円筒壁４６と円筒壁４６の一端を閉止する底板４８とを有するリールハブ４５と、センタ部５８において底板４８に溶着された下フランジ側部材６０とを備える。下フランジ側部材６０は、下フランジ５６から円筒壁４６の径方向外側に延設された下フランジ５６を有し、センタ部５８の軸心部には、短円筒部５５が設けられている。【選択図】図１
2008108322.tif 000002
【特許請求の範囲】
【請求項１】
円筒壁と該円筒壁の一端を閉止する底板とを有するリールハブと、
前記リールハブの底板に溶着されたセンタ部と、前記センタ部から前記円筒壁に対する径方向外側に張り出したフランジとを有するフランジ部材と、
前記リールハブの軸心部に固定的に設けられた筒状部と、
を備えたリール。
【請求項２】
円筒壁と該円筒壁の一端を閉止する底板とを有し、前記底板の軸心部に貫通孔が形成されたリールハブと、
円板状に形成された金属プレートと、
前記金属プレートが同軸的に取り付けられると共に該金属プレートの設置範囲内で前記リールハブの底板に溶着されたセンタ部と、前記センタ部から前記円筒壁に対する径方向外側に張り出したフランジとを有するフランジ部材と、
前記リールハブにおける前記貫通孔の縁部に沿って設けられた筒状部と、
を備えたリール。
【請求項３】
前記フランジ部材は、前記センタ部の軸心部から突設されると共に前記筒状部に嵌合された凸部を有する請求項１又は請求項２記載のリール。
【請求項４】
前記筒状部は、前記円筒部内に配置されている請求項１乃至請求項３の何れか１項記載のリール。
【請求項５】
前記筒状部は、前記リールハブに一体に形成されている請求項１乃至請求項４の何れか１項記載のリール。
【請求項６】
前記リールハブにおける前記フランジ部材の設置側とは軸線方向反対側の端部からは、前記フランジに対向する他のフランジが一体に延設されている請求項１乃至請求項５の何れか１項記載のリール。
【請求項７】
ケースと、
前記リールハブの円筒部に記録テープが巻き回されると共に前記ケースに前記記録テープの引き出し巻き取り可能に収容された、請求項１乃至請求項６の何れか１項記載のリールと、
を備えた記録テープカートリッジ。
【発明の詳細な説明】
【技術分野】
【０００１】
本発明は、例えば磁気テープ等の記録テープを巻装するためのリール、及び、このようなリールを備えた記録テープカートリッジに関する。
【背景技術】
【０００２】
短円筒状に形成され磁気テープが巻き回されるハブの軸線方向両端にそれぞれフランジを設けたリールが知られている。このようなリールとしては、一方のフランジがハブに一体に形成され、他方のフランジがハブの軸線方向端面に溶着されたものが知られている（例えば、特許文献１参照）。このようなリールでは、磁気テープの巻き圧によってハブが巻き締められるのに伴ってフランジ間隔が狭まると、磁気テープにダメージを与える原因となる。この対策としてハブの剛性を高めるために、ハブを構成する樹脂に炭素繊維やガラス繊維のフィラーを混入したり、ハブの肉厚を厚くしたり、ハブの内面側に補強用にリブを設けることが考えられている。
【特許文献１】特開平１１−２７３３０７号公報
【発明の開示】
【発明が解決しようとする課題】
【０００３】
しかしながら、上記のようにハブの剛性を上げることでフランジの変形を抑制するのには限界があり、この点に改善の余地があった。
【０００４】
本発明は、上記事実を考慮して、フランジのリールハブに対する適正な姿勢を確保することができるリールを得ること、及び該リールを適用して記録テープを良好に保護することができる記録テープカートリッジを得ることが目的である。
【課題を解決するための手段】
【０００５】
請求項１記載の発明に係るリールは、円筒壁と該円筒壁の一端を閉止する底板とを有するリールハブと、前記リールハブの底板に溶着されたセンタ部と、前記センタ部から前記円筒壁に対する径方向外側に張り出したフランジとを有するフランジ部材と、前記リールハブの軸心部に固定的に設けられた筒状部と、を備えている。
【０００６】
請求項１記載のリールでは、リールハブにおける円筒部よりも径方向内側に位置する底板と、フランジ部材のセンタ部とが溶着されることで、リールハブに対しフランジが固定される。リールハブの円筒部とフランジ（フランジ部材）とは接合されないため、記録テープの巻き圧によって円筒部が変形することに伴うフランジの変形が抑制される。また、リールハブの底板は、その軸心部に筒状部が設けられているため、面剛性が高い。これにより、リールハブにおけるフランジ部材の接合面である底板の面精度が高く、リールハブに対するフランジの取付寸法精度が確保される。
【０００７】
このように、請求項１記載のリールでは、フランジのリールハブに対する適正な姿勢を確保することができる。
【０００８】
請求項２記載の発明に係るリールは、円筒壁と該円筒壁の一端を閉止する底板とを有し、前記底板の軸心部に貫通孔が形成されたリールハブと、円板状に形成された金属プレートと、前記金属プレートが同軸的に取り付けられると共に該金属プレートの設置範囲内で前記リールハブの底板に溶着されたセンタ部と、前記センタ部から前記円筒壁に対する径方向外側に張り出したフランジとを有するフランジ部材と、前記リールハブにおける前記貫通孔の縁部に沿って設けられた筒状部と、を備えている。
【０００９】
請求項２記載のリールでは、リールハブにおける円筒部よりも径方向内側に位置する底板と、フランジ部材のセンタ部とが溶着されることで、リールハブに対しフランジが固定される。また、フランジ部材のセンタ部には、円板状の金属プレートが同軸的に取り付けられる。
【００１０】
ここで、リールハブの円筒部とフランジ（フランジ部材）とは接合されないため、記録テープの巻き圧によって円筒部が変形することに伴うフランジの変形が抑制され、特に、フランジ部材とリールハブの接合部を覆うように固定された金属プレートが底板の変形を規制（補強）するため、フランジの変形が一層効果的に抑制される。そして、リールハブの底板は、その軸心部に筒状部が設けられているため、換言すれば、貫通孔の孔縁が底板の自由端にならないため、軸心部に貫通孔を有する構成でありながら、面剛性が高い。これにより、リールハブにおけるフランジ部材の接合面である底板の面精度が高く、リールハブに対するフランジの寸法精度が確保される。
【００１１】
このように、請求項２記載のリールでは、フランジのリールハブに対する適正な姿勢を確保することができる。
【００１２】
請求項３記載の発明に係るリールは、請求項１又は請求項２記載のリールにおいて、前記フランジ部材は、前記センタ部の軸心部から突設されると共に前記筒状部に嵌合された凸部を有する。
【００１３】
請求項３記載のリールでは、リールハブ側の筒状部にフランジ部材側の凸部が嵌合することで、リールハブに対するフランジ部材の位置が良好に決まる。すなわち、リールハブとフランジ部材とのセンタリングが良好に為される。
【００１４】
請求項４記載の発明に係るリールは、請求項１乃至請求項３の何れか１項記載のリールにおいて、前記筒状部は、前記円筒部内に配置されている。
【００１５】
請求項４記載のリールでは、筒状部が底板に対して円筒部と軸線方向の同じ側に配置されているため、フランジ部材側に筒状部との干渉を避けるための形状等を設ける必要がなく、小型で簡単な構造とすることができる。
【００１６】
請求項５記載の発明に係るリールは、請求項１乃至請求項４の何れか１項記載のリールにおいて、前記筒状部は、前記リールハブに一体に形成されている。
【００１７】
請求項５記載のリールでは、筒状部がリールハブに一体に形成されているので、部品点数を増すことなく、リールハブに作用する巻き圧によるフランジの変形を抑制することができる。
【００１８】
請求項６記載の発明に係るリールは、請求項１乃至請求項５の何れか１項記載のリールにおいて、前記リールハブにおける前記フランジ部材の設置側とは軸線方向反対側の端部からは、前記フランジに対向する他のフランジが一体に延設されている。
【００１９】
請求項６記載のリールでは、円筒部における底板が形成されている（フランジ部材が溶着される）側とは軸線方向反対側の端部から、他のフランジが一体に延設されている。本フランジでは、リールハブの底板に設けられた筒状部によってリールハブ自体すなわち円筒部の剛性も向上しているので、リールハブに一体に設けられた他のフランジが、該リールハブに作用する巻き圧によって変形することが抑制される。
【００２０】
請求項７記載の発明に係る記録テープカートリッジは、ケースと、前記リールハブの円筒部に記録テープが巻き回されると共に前記ケースに前記記録テープの引き出し巻き取り可能に収容された、請求項１乃至請求項６の何れか１項記載のリールと、を備えている。
【００２１】
請求項７記載の記録テープカートリッジでは、リールのリールハブに巻き回された記録テープがケースから引き出されて情報の読み書き（何れか一方でも良い）が行われる。このリールとして請求項１乃至請求項６の何れか１項記載のリールを適用したため、記録テープの巻き圧によるリールハブ円筒部の変形に伴うフランジの変形が抑制される。これにより、ケースに対する出入りに伴って走行する記録テープとフランジとの干渉が防止され、記録テープが保護される。
【００２２】
このように、請求項７記載の記録テープカートリッジでは、上記リールを適用して記録テープを良好に保護することができる。
【発明の効果】
【００２３】
以上説明したように本発明に係るリールは、フランジのリールハブに対する適正な姿勢を確保することができるという優れた効果を有する。また、本発明に係る記録テープカートリッジは、上記リールを適用して記録テープを良好に保護することができるという優れた効果を有する。
【発明を実施するための最良の形態】
【００２４】
本発明の実施の形態に係るリール２８、及びリール２８が適用された記録テープカートリッジ１０について、図１乃至図８に基づいて説明する。先ず、記録テープカートリッジ１０の概略全体構成を説明し、次いで、リール２８の構成について詳細に説明することとする。
【００２５】
図６（Ａ）には、記録テープカートリッジ１０を斜め上方から見た斜視図が示されており、図６（Ｂ）には、記録テープカートリッジ１０を斜め下方から見た斜視図が示されている。また、図７には、図６（Ａ）の２−２線に沿った断面図が示されている。なお、図６に示す矢印Ａは、記録テープカートリッジ１０のドライブ装置への装填方向を示しており、以下の説明では、便宜上、矢印Ａにて示す側を前側ということとする。また、矢印Ｕにて示す側を上側ということとする。
【００２６】
これらの図に示される如く、記録テープカートリッジ１０は、ケース１２を備えている。ケース１２は、上ケース１４と下ケース１６とを接合して構成されている。具体的には、上ケース１４は、平面視略矩形状の天板１４Ａの外縁に沿って略枠状の周壁１４Ｂが立設されて構成されており、下ケース１６は、天板１４Ａに略対応した形状の底板１６Ａの外縁に沿って周壁１６Ｂが立設されて構成されている。そして、ケース１２は、周壁１４Ｂの開口端と周壁１６Ｂの開口端とを突き当てた状態で、超音波溶着やビス止め等によって上ケース１４と下ケース１６とが接合されて、略箱状に形成されている。
【００２７】
このケース１２には、そのドライブ装置への装填方向先頭側の角隅部において、天板１４Ａ、周壁１４Ｂ、底板１６Ａ、周壁１６Ｂがそれぞれ切り欠かれて、該装填方向に対し傾斜した開口１８が形成されている。また、底板１６Ａの略中央部には、該底板１６Ａを貫通する円形状のギヤ開口２０が設けられており、後述するリールギヤ６２の露出用とされている。底板１６Ａにおけるギヤ開口２０の縁部には、環状リブ２２がケース１２の内方へ向けて突設されており（図２参照）、後述するリール２８の位置決め用とされている。
【００２８】
さらに、ケース１２の底板１６Ａの外面における前端近傍には、一対の位置決め孔２４、２６が開口している。一対の位置決め孔２４、２６は、底板１６Ａからケース１２内方に立設された突部（図示省略）内に袋状に設けられ、上記装填方向に直交する仮想線上で互いに離間して配置されている。そして、開口１８に近い側の位置決め孔２４は、ドライブ装置の位置決めピンに外接する底面視略正方形状とされ、位置決め孔２６は、上記仮想線に沿って長手でかつ幅が位置決めピンの直径に対応する長孔とされている。これにより、記録テープカートリッジ１０がドライブ装置に装填されて位置決め孔２４、２６にそれぞれ位置決めピンが挿入されると、該記録テープカートリッジ１０がドライブ装置内で水平方向（左右及び前後）に正確に位置決めされるようになっている。
【００２９】
さらに、底板１６Ａにおける位置決め孔２４、２６廻りの部分は、他の部分（意匠面）よりも平滑に仕上げられた位置決め面２４Ａ、２６Ａとされている。位置決め面２４Ａ、２６Ａは、位置決め孔２４、２６に位置決めピンが挿入されたときに該位置決めピン廻りに設けられたドライブ装置の位置決め面に当接するようになっている。これにより、記録テープカートリッジ１０のドライブ装置内における鉛直方向の位置決めも為される構成である。
【００３０】
以上説明したケース１２内には、図７に示される如く、後に詳述するリール２８が回転可能に収容されている。リール２８は、１つだけ設けられている。このリール２８には、記録テープとしての磁気テープＴが巻装されており、磁気テープＴの先端には引出部材としてのリーダブロック３０が取り付けられている。
【００３１】
リーダブロック３０は、記録テープカートリッジ１０の不使用時には、ケース１２の開口１８の内側に収容保持されるようになっている。この状態で、リーダブロック３０は、開口１８を閉塞し、ケース１２内への塵芥等の侵入を阻止している。また、リーダブロック３０は、その先端に係合凹部３０Ａが形成されており、ドライブ装置内で磁気テープＴを引き出す際には、係合凹部３０Ａに係合する引出手段によってケース１２から抜き出されてドライブ装置の巻取リールに誘導されるようになっている。さらに、リーダブロック３０は、その係合凹部３０Ａとは反対側の端面が円弧面３０Ｂとされており、上記巻取リールに嵌入されて磁気テープＴを巻き取る巻取面の一部を構成するようになっている。
【００３２】
また、記録テープカートリッジ１０は、不使用時にリール２８の回転を阻止するためのブレーキ部材３２を備えている。ブレーキ部材３２は、円板状に形成された円板部３４と、円板部３４の周縁部に下向きに形成された制動ギヤ３６と、円板部３４の軸心部から上向きに突設された十字突起３８と、円板部３４の軸心部から下向きに突設された摺接突部３５とを主要部としている。十字突起３８には、その形状に対応して平面視で略十字形状に形成された挿入溝３８Ａが形成されており、挿入溝３８Ａには、天板１４Ａから垂下された十字リブ４０が上下方向の相対移動（摺動）可能に挿入されている。これにより、ブレーキ部材３２は、ケース１２に対し回転不能で、かつ上下方向の相対変位可能とされている。
【００３３】
ブレーキ部材３２は、その制動ギヤ３６がリール２８を構成する底板４８に設けられた係合ギヤ５２（何れも後述）に噛み合うことで、リール２８のケースに対する回転を防止し、ケースに対し上下方向（リール２８の軸線方向）に移動することで制動ギヤ３６の係合ギヤ５２との噛み合い、噛み合い解除を切り替える構成とされている。記録テープカートリッジ１０は、ブレーキ部材３２を底板４８側に付勢する圧縮コイルスプリング４２が設けられており、通常はブレーキ部材３２の制動ギヤ３６は、係合ギヤ５２に噛み合わされた制動位置に偏倚されている。
【００３４】
また、記録テープカートリッジ１０は、リール２８の底板４８の軸心部を貫通すると共に、該リール２８に同軸的かつ一体回転可能で、リール２８に対し軸線方向に相対変位可能で、かつ脱落不能に支持されたクラッチ部材４４を備えている。クラッチ部材４４は、制動ギヤ３６を係合ギヤ５２に噛み合せたブレーキ部材３２の摺接突部３５に押圧されてその一部がリール２８の外（下）側に突出している。この摺接突部３５を上向きに押圧することで、ブレーキ部材３２は、上方に移動して制動ギヤ３６と係合ギヤ５２との噛み合いが解除される解除位置に至る構成である。
【００３５】
この実施形態では、クラッチ部材４４は、ドライブ装置の回転シャフト１００の軸心部に設けられた解除面１０１によって上向きに押圧されて、ブレーキ部材３２を制動位置から解除位置に移動させるようになっている。
【００３６】
回転シャフト１００について補足すると、回転シャフト１００は、回転軸１０２の上端に固定された回転テーブル１０４を有し、回転テーブル１０４の周縁部にはリール２８のリールギヤ６２（後述）に噛み合い可能な駆動ギヤ１０６が上向きに形成されている。これにより、回転シャフト１００は、ケース１２に対し相対的に上方に移動することで駆動ギヤ１０６をリールギヤ６２に噛み合わせるようになっている。また、回転テーブル１０４における駆動ギヤ１０６の径方向内側には、円板状のマグネット１０８が配設されており、マグネット１０８は、軸心部を貫通して回転軸１０２に螺合した押えボルト１１０にて固定されている。上記した解除面１０１は、押えボルト１１０の頭部１１０Ａで構成されている。
【００３７】
以上説明した記録テープカートリッジ１０では、リール２８の回転（磁気テープＴの引き出し又は巻き取り）中には、ケース１２に対し回転しない摺接突部３５（ブレーキ部材３２）と、リール２８と共に回転する４４との間に相対回転が生じる構成とされており、この相対回転によって摺接突部３５の先端（下端）とクラッチ部材４４の上面とが互いに摺接するようになっている。
【００３８】
（リールの構成）
【００３９】
図１乃至図３に示される如く、リール２８は、その軸心部を構成するリールハブ４５を備えている。リールハブ４５は、外周面が磁気テープＴを巻き回すためのテープ巻取面４６Ａとされた円筒壁４６と、該円筒壁４６の下部を閉塞する底板４８とを有する略有底円筒状に形成されている。リールハブ４５の円筒壁４６の上端からは、上フランジ５０がその径方向外側に同軸的かつ一体に延設されている。
【００４０】
また、リールハブ４５の底板４８には、ブレーキ部材３２の制動ギヤ３６と噛み合い可能な係合ギヤ５２が上向きに形成されている。すなわち、係合ギヤ５２は、上記した通り、制動位置に位置するブレーキ部材３２の制動ギヤ３６に噛み合い、解除位置に位置するブレーキ部材３２の制動ギヤ３６との噛み合いが解除されて、リール２８の字軸廻りの回転を許容する構成とされている。この実施形態では、係合ギヤ５２は、平面視で歯が円環状に配置されて形成されている。
【００４１】
さらに、リールハブ４５の底板４８における軸心部には、該底板４８を板厚方向に貫通する貫通孔５４が形成されており、クラッチ部材４４の一部を突出させ得る構成とされている。底板４８における貫通孔５４の周縁部からは、筒状部としての短円筒部５５が上向きに立設されている。短円筒部５５は、リールハブ４５に一体に形成されており、円筒壁４６に対する折り返し形状を成していると把握することが可能である。
【００４２】
以上説明したリールハブ４５は、後述する補強リング６８を除いて、円筒壁４６、底板４８、係合ギヤ５２、短円筒部５５を主要部とする各部が樹脂成形にて一体に形成されている。
【００４３】
またさらに、図１乃至図３に示される如く、リール２８は、上フランジ５０と対向する下フランジ５６を有する。下フランジ５６は、リールハブ４５の底板４８に接合（この接合構造については後述）されたセンタ部５８から径方向外向きに一体に延設されており、該センタ部５８を介してリールハブ４５に固定的に保持されている。この下フランジ５６とセンタ部５８とでフランジ部材としての下フランジ側部材６０が構成されている。
【００４４】
下フランジ側部材６０のセンタ部５８には、ドライブ装置の回転シャフト１００の駆動ギヤ１０６に噛み合い可能なリールギヤ６２が下向きに形成されている。リールギヤ６２は、全体として下フランジ側部材６０すなわちリール２８と同軸的な円環状を成すように複数の歯が配列されて構成されている。なお、リールギヤ６２は、周方向の一部に歯が形成されていない領域を有して構成されても良い。
【００４５】
また、図２及び図３に示される如く、センタ部５８の軸心部からは、クラッチ部材４４を支持するためのクラッチ用ボス部６４が上向きに立設されている。クラッチ用ボス部６４は、円筒状に形成されると共に、クラッチ部材４４の上部から放射状に突出した複数の係合片４４Ａを入り込ませるスリット６４Ａが筒壁に形成されて構成されており、クラッチ部材４４を軸線方向にスライド可能でかつ各スライド位置で、相対回転不能で、かつ脱落不能に支持する構成とされている。クラッチ用ボス部６４は、その外径が貫通孔５４すなわち短円筒部５５の内径と略一致しており、短円筒部５５に嵌合する構成とされている。
【００４６】
以上説明した下フランジ側部材６０は、下フランジ５６、センタ部５８、リールギヤ６２、クラッチ用ボス部６４を主要部とする各部が、樹脂成形によって一体に形成されている。
【００４７】
さらに、図１及び図３に示される如く、センタ部５８には、磁性体より成る金属プレートとしてのリールプレート６６が固定的に設けられている。リールプレート６６は、軸心部に透孔６６Ａを有する略円板状に形成されており、リールギヤ６２の径方向内側に同軸的に配置されている。このリールプレート６６は、ドライブ装置の回転シャフト１００の回転テーブル１０４に磁力によって非接触で吸着される構成とされている。
【００４８】
リールプレート６６は、インサート成形にてセンタ部５８すなわち下フランジ側部材６０に固定されている。具体的には、リールプレート６６には、透孔６６Ａと同軸的な仮想円に沿って周方向に等間隔で配置された複数（本実施の形態では４つ）の小孔６６Ｂが板厚方向に貫通して形成されており、各小孔６６Ｂは、それぞれリールプレート６６の下面側が拡径部とされて所謂いんろう形状を構成している。リールプレート６６は、金型内に注入され各小孔６６Ｂに充填された樹脂材料が冷却固化されることで、下フランジ側部材６０に強固に固定されている。なお、リールプレート６６は、かしめ等によって下フランジ側部材６０に固定される構造としても良い。
【００４９】
また、この実施形態では、リール２８は、リールハブ４５の円筒壁４６に内嵌合された補強リング６８を備えている。補強リング６８は、金属製とされており、上端が開口している円筒壁４６が磁気テープＴの巻き圧によって径方向内側に倒れる方向に変形することを抑制する構造とされている。この実施形態では、補強リング６８は、例えばアルミニウムやアルミニウム合金等の引き抜き材にて構成されており、インサート成形にてリールハブ４５に一体化されている。
【００５０】
以上説明したリール２８では、下フランジ側部材６０は、上記の通り下フランジ５６においてリールハブ４５の底板４８に接合されている。具体的には、この実施形態では図１及び図５に示される如く、底板４８の下面から溶着用突起（エネルギダイレクタ）７０が突設されており、溶着用突起７０がセンタ部５８の上面に突き当てられた状態で超音波振動を付与することでリールハブ４５と下フランジ側部材６０とが溶着用突起７０の設置部分で超音波溶着されるようになっている。この溶着部位を図４に符号Ｗにて示す。この図から、リールハブ４５と下フランジ側部材６０とは、リールプレート６６の設置領域内で接合されていることがわかる。
【００５１】
より具体的には、溶着用突起７０は、図１に示される如く、リール２８と同軸的な仮想円に沿って間欠的に突設されている。この仮想円（溶着部Ｗ参照）は、図４に示される如く、係合ギヤ５２、リールギヤ６２の内縁よりも小径で、かつクラッチ用ボス部６４の外径、各溶着用突起７０が内接する仮想円の直径よりも大径とされている。
【００５２】
次に、本実施の形態の作用を説明する。
【００５３】
上記構成の記録テープカートリッジ１０では、不使用時には、圧縮コイルスプリング４２の付勢力によって、ブレーキ部材３２が回転ロック位置に位置して制動ギヤ３６を係合ギヤ５２に噛み合わせている。このため、リール２８は、ケース１２に対する回転が阻止されている。このとき、リール２８のリールギヤ６２がギヤ開口２０から露出すると共に、クラッチ部材４４の下部がクラッチ用ボス部６４から突出してギヤ開口２０に臨んでいる。
【００５４】
一方、磁気テープＴを使用する際には、記録テープカートリッジ１０を矢印Ａ方向に沿ってドライブ装置のバケット（図示省略）へ装填する。そして、記録テープカートリッジ１０がバケットに所定深さまで装填されると、該バケットは下降し、ドライブ装置の回転シャフト１００がケース１２のギヤ開口２０に向って相対的に接近（上方へ移動）してリール２８を保持する。具体的には、回転シャフト１００は、マグネット１０８によって非接触でリールプレート６６を吸着保持しつつ、その駆動ギヤ１０６をリールギヤ６２と噛み合わせる。
【００５５】
このリールギヤ６２と駆動ギヤ１０６との噛み合い、すなわちケース１２に対する回転シャフト１００の軸方向近接側の相対移動に伴って、回転シャフト１００が解除面１０１にて当接しているクラッチ部材４４を上方へ押圧する。すると、この押圧力によって、クラッチ部材４４は、その複数の係合片４４Ａにおいてクラッチ用ボス部６４のスリット６４Ａにガイドされつつ、圧縮コイルスプリング４２の付勢力に抗してリール２８の軸線方向上側に移動する。これにより、摺接突部３５においてクラッチ部材４４の上面に当接しているブレーキ部材３２も上方に移動し、該ブレーキ部材３２の制動ギヤ３６と係合ギヤ５２との噛み合いが解除される。すなわち、ブレーキ部材３２は、リール２８に対する相対的な回転許容位置に達する。回転シャフト１００がさらに上方へ相対移動すると、圧縮コイルスプリング４２の付勢力に抗して、リール２８がクラッチ部材４４、ブレーキ部材３２と共に（相対位置を変化させないまま）上方に持ち上げられ、ブレーキ部材３２が絶対的な（ケース１２に対する）回転許容位置へ達すると共に、下フランジ５６が環状リブ２２（テーパ面２２Ａ）から離間する。以上により、リール２８は、ケース１２内で浮上し該ケース１２内面と非接触状態で回転可能となる。
【００５６】
また、上記バケットすなわち記録テープカートリッジ１０のドライブ装置内での下降によって、ケース１２の各位置決め孔２４、２６にそれぞれドライブ装置の位置決めピンが入り込むと共に、ケース１２の各位置決め面２４Ａ、２６Ａにドライブ装置の位置決め面が当接する。これにより、記録テープカートリッジ１０は、ドライブ装置に対し、水平方向及び鉛直方向に位置決めされる。すると、ドライブ装置の引出手段が、その引出ピン（図示省略）をリーダブロック３０の係合凹部３０Ａに係合させつつ、該リーダブロック３０をケース１２から抜き出してドライブ装置の巻取リールに誘導する。さらに、リーダブロック３０は、巻取リールに嵌入されて円弧面３０Ｂが磁気テープＴを巻き取る巻取面の一部を構成する。
【００５７】
この状態で、リーダブロック３０が巻取リールと一体に回転すると、磁気テープＴが巻取リールのリールハブに巻き取られつつ開口１８を通じてケース１２から引き出される。このとき、記録テープカートリッジ１０のリール２８は、リールギヤ６２に噛み合う駆動ギヤ１０６によって伝達される回転シャフト１００の回転力によって、巻取リールと同期して回転する。そして、ドライブ装置の所定のテープ経路に沿って配設された記録再生ヘッドによって、磁気テープＴへの情報の記録、又は磁気テープＴに記録された情報の再生が為される。このとき、ケース１２に対し回転不能であるブレーキ部材３２の摺接突部３５は、リール２８と共にケース１２に対し回転するクラッチ部材４４の上面と摺接する。
【００５８】
一方、磁気テープＴがリール２８に巻き戻されてリーダブロック３０がケース１２の開口１８近傍に保持されると、記録テープカートリッジ１０が装填されたバケットを上昇させる。すると、リールギヤ６２と駆動ギヤ１０６との噛合が解除されると共に解除面１０１とクラッチ部材４４との当接が解除され、該クラッチ部材４４が圧縮コイルスプリング４２の付勢力によってブレーキ部材３２と共に下方へ移動する。これにより、ブレーキ部材３２は、その制動ギヤ３６が係合ギヤ５２と噛み合う制動位置へ復帰する。また、ブレーキ部材３２とクラッチ部材４４とが圧縮コイルスプリング４２の付勢力によって移動する動作に伴って、リール２８も下方へ移動してその下フランジ５６を環状リブ２２に当接させつつリールギヤ６２をギヤ開口２０から露出させる初期状態に復帰する。この状態で、記録テープカートリッジ１０は、バケットから排出される。
【００５９】
この記録テープカートリッジ１０を構成するリール２８を製造するに当たっては、先ず、リールハブ４５、下フランジ側部材６０をそれぞれ別個に樹脂成形にて形成する。リールハブ４５は、補強リング６８がインサート成形にて一体化されており、下フランジ側部材６０は、リールプレート６６がインサート成形にて一体化されている。次いで、下フランジ側部材６０のクラッチ用ボス部６４をリールハブ４５の短円筒部５５に嵌合し、リールハブ４５に対し下フランジ側部材６０をセンタリング（位置決め）する。そして、センタ部５８における溶着用突起７０との当接部位の背面部分を含む領域（リールギヤ６２と各小孔６６Ｂとの間）でリールプレート６６に当接された受け台（図示省略）と、底板４８における溶着用突起７０の背面（上面における係合ギヤ５２と短円筒部５５との間）に当接された超音波ホーンとで、底板４８、センタ部５８、及びリールプレート６６を挟み込んだ状態で超音波ホーンから超音波振動を発生させ、リールハブ４５と下フランジ側部材６０とを超音波溶着する。これにより、リールハブ４５と下フランジ側部材６０とが固定され、テープ巻取面４６Ａに巻き回した磁気テープＴを上フランジ５０、下フランジ５６にて保護するリール２８が構成される。
【００６０】
ここで、リール２８では、センタ部５８を底板４８に接合することで下フランジ５６をリールハブ４５（円筒壁４６）に固定する構造であるため、磁気テープＴの巻き圧による円筒壁４６の変形に伴って下フランジ５６が変形し難い。特に、リール２８では、下フランジ側部材６０におけるリールプレート６６の設置領域内でセンタ部５８が底板４８と接合されているため、換言すれば、下フランジ側部材６０の高剛性部（リールプレート６６による被補強部）でリールハブ４５に接合されているため、下フランジ５６は、厚み方向に振れるような変形を一層生じ難い。これらにより、リール２８では、例えば円筒壁４６の下端面に下フランジ５６内縁を接合する構成と比較して、下フランジ５６の外周縁の厚み方向の面振れが１／３〜１／２に低減することができた。
【００６１】
そして、リール２８では、底板４８に短円筒部５５が設けられているため、換言すれば、貫通孔５４の縁部が底板４８の自由端（水平面に沿った自由端）を構成しないので、底板４８の剛性（面剛性）が高い。すなわち、センタ部５８が接合される底板４８の面剛性が高いため、下フランジ５６が厚み方向に振れるような変形がより一層生じ難い構成が実現された。しかも、短円筒部５５によって底板４８の面剛性が向上することで、底板４８の面精度を成形条件に依らず向上することができる。これにより、リールハブ４５と下フランジ側部材６０との接合精度が向上し、無負荷状態（組立初期）におけるリールハブ４５に対する下フランジ５６及びセンタ部５８の寸法精度が高い。
【００６２】
しかも、リール２８では、リールハブ４５の短円筒部５５に下フランジ側部材６０のクラッチ用ボス部６４を嵌合させることで、リールハブ４５に対する下フランジ側部材６０のセンタリングを行う構成であるため、該リールハブ４５に対する下フランジ側部材６０の径方向の位置精度も向上している。
【００６３】
以上説明したように、リール２８では、リールハブ４５に対する下フランジ５６の寸法精度が高く、かつ磁気テープＴの巻き圧による円筒壁４６の変形に伴う下フランジ５６の変形（面振れ）が抑制されるので、各状態でリールハブ４５に対する下フランジ５６の適正な姿勢を確保することができる。
【００６４】
また、リールハブ４５に対するセンタ部５８（に設けられたリールギヤ６２、クラッチ用ボス部６４、リールプレート６６）の所要の寸法精度（同心度）を確保することができる。さらに、リール２８は、上フランジ５０がリールハブ４５に一体に形成されているため、リールハブ４５に対する上フランジ５０の寸法精度が高く、しかも円筒壁４６を径方向に補強する補強リング６８を備えるため、磁気テープＴの巻き圧による円筒壁４６の変形に伴う下フランジ５６の変形（面振れ）が抑制される上フランジ５０の変形（面振れ）が効果的に抑制される。また、上フランジ５０の面振れは、短円筒部５５によって底板４８すなわちリールハブ４５全体の剛性が向上していることによっても抑制される。
【００６５】
さらに、リール２８では、短円筒部５５が底板４８に対する円筒壁４６側（上側）に立設されているため、短円筒部５５と下フランジ側部材６０との干渉を防止するための対策が不要で、コンパクトかつ簡単な構造で、リールハブ４５に対する下フランジ５６の適正な姿勢を確保することができる。また、短円筒部５５はリールハブ４５に一体に形成されているため、部品点数を増すことなくリールハブ４５の底板４８を補強して、リールハブ４５に対する下フランジ５６の適正な姿勢を確保することができる。
【００６６】
このように、リール２８では、短円筒部５５を設けることで下フランジ５６のリールハブ４５に対する適正な姿勢を確保するため、設計や製造に対する制約が少ない。例えば、下フランジ５６のリールハブ４５に対する変形（面振れ）を抑制するために円筒壁４６の剛性を向上する場合、例えば炭素繊維（ＣＦ）やガラス繊維（ＧＦ）等のフィラーを樹脂に混入すると成形上の限界（樹脂に対し２０％〜３０％）があり、円筒壁４６の肉厚を上げると成形時の保圧が減少してテープ巻取面４６Ａの面精度の確保が困難になり、また上フランジ５０との肉厚差が大きい場合には成形に伴う（無負荷での）面振れを生じる原因となる。さらに、円筒壁４６の内面側に底板４８に跨るリブを設ける構成では、テープ巻取面４６Ａにおけるリブの背面側に不均一なひけを生じさせて真円度を低下させ、全振れを悪化させる原因となる。すなわち、円筒壁４６の剛性を向上させるための上記各構成では、各種制約のために、記録容量の向上に伴う磁気テープＴの巻き圧上昇に対応して下フランジ５６の姿勢を適正な姿勢に保つことが困難であった。また、底板４８に短円筒部５５を形成せず、貫通孔５４の縁部を底板４８の自由端とする構成では、成形条件によって面制度の振れが大きいため、成形条件に制約が生じ得る。
【００６７】
これらに対しリール２８では、上記の通り円筒壁４６の剛性向上に頼ることなく下フランジ５６、上フランジ５０の面振れを抑制することができ、また短円筒部５５によって成形条件に依らず底板４８の面精度を確保することができ、設計、製造の自由度が向上する。
【００６８】
そして、上記リール２８を備えて構成された記録テープカートリッジ１０では、リールハブ４５すなわちテープ巻取面４６Ａに対する上フランジ５０、下フランジ５６の寸法精度が高く、かつ面振れ（対向面間の縮小）が抑制されるため、磁気テープＴのケース１２に対する出し入れに伴って該磁気テープＴが上フランジ５０、下フランジ５６に干渉することが防止され、磁気テープＴが保護される。
【００６９】
なお、上記実施形態では、リール２８が補強リング６８を有する例を示したが、本発明はこれに限定されず、例えば補強リング６８を設けない構成としても良い。この場合、例えば、上記した円筒壁４６の剛性向上のための各種構造を採用しうることは言うまでもない。
【００７０】
また、上記実施形態では、リール２８の軸心部に貫通孔５４、クラッチ用ボス部６４、透孔６６Ａが形成された例を示したが、本発明はこれに限定されず、例えば、リール２８の軸心部は閉止されていても良い。したがって、リール２８が適用される記録テープカートリッジ１０におけるリール２８の回転止め構造、回転止め解除構造は、上記実施形態の構造に限定されることはない。
【図面の簡単な説明】
【００７１】
【図１】本発明の実施形態に係るリールの一部切り欠いた分解斜視図である。
【図２】本発明の実施形態に係るリールの図１とは異なる方向から見た分解斜視図である。
【図３】本発明の実施形態に係るリールの断面図である。
【図４】本発明の実施形態に係るリールの要部を拡大して示す断面図である。
【図５】本発明の実施形態に係るリールの要部を拡大して示す組立前の断面図である。
【図６】本発明の実施形態に係るリールが適用された記録テープカートリッジの外観を示す図であって、（Ａ）は上方から見た斜視図、（Ｂ）は下方から見た斜視図である。
【図７】本発明の実施形態に係るリールが適用された記録テープカートリッジにおけるリールの回転ロック時の断面図である。
【図８】本発明の実施形態に係るリールが適用された記録テープカートリッジにおけるリールの回転ロック解除時の断面図である。
【符号の説明】
【００７２】
１０      記録テープカートリッジ
１２      ケース
２８      リール
４５      リールハブ
４６      円筒壁
４８      底板
５０      上フランジ（他のフランジ）
５６      下フランジ（フランジ）
５８      センタ部
６０      下フランジ側部材（フランジ部材）
６６      リールプレート（金属プレート）
Ｔ 磁気テープ（記録テープ）
【図１】
2008108322.tif 000003
【図２】
2008108322.tif 000004
【図３】
2008108322.tif 000005
【図４】
2008108322.tif 000006
【図５】
2008108322.tif 000007
【図６】
2008108322.tif 000008
【図７】
2008108322.tif 000009
【図８】
2008108322.tif 000010